(57)【要約】      （修正有）【課題】ホタテ養殖網篭等に付着する稚貝残渣は陸揚げ後、悪臭を発生し、また大量の発生であることから、安価に処理する悪臭除去装置の提供。【解決手段】養殖網篭を海水で洗浄し、洗浄残渣の稚貝を容器に投入し、一定期間保持することで、海水中の海洋微生物、海洋細菌類等が稚貝等の死肉を分解し、また容器の外壁を気化冷却することで、悪臭の揮散を防止する。【選択図】図５
2018157806.tif 000002
【特許請求の範囲】
【請求項１】
海に吊下げられていたホタテ貝の養殖網篭に付着する稚貝を海水で高圧洗浄をし、湿潤したまま、容器に投入し、蓋をし、一定の期間、保持させることで、
海水に含まれる海洋性細菌や海洋性微生物によって、死肉が分解され、
容器の壁を外気温より低く保って、
悪臭を外気に漏らさないことを特徴とする悪臭除去装置。
【請求項２】
保温性のある発泡スチロールの複数の枠体を積み重ねて、容器の外壁とし、
それぞれの枠体の底に、水を溜める水ポットを置き、
水ポットからの毛管作用で湿潤させたポリエステルの布を束ねた親水性のひもを枠体内に、配置し、
ひもの回りに球状の発泡スチロールを詰め、
湿潤したひもがあることで、球状発泡スチロール間の空気が気化冷却され、
枠体内の温度が外気温より冷却されることによって、容器内の悪臭が外部に揮散することを防止し、
さらに外壁に球状の発泡スチロールを詰めていることで、容器内は好気性であり、
稚貝の死肉の嫌気分解に続いて、好気性分解によって、無害化することを特徴とする請求項１に記載の悪臭除去装置。
【請求項３】
容器の蓋となる天端は、球状の発泡スチロールを繋ぎ合わせて平板と、
ポリエステルの布を束ねた親水性のひもを置き、
その上下を２重のビニールシートで挟み、
上部のシートは雨水や外部からの給水を集水すると共に、水の蒸発を防止し、下部のシートで、水を貯留し、
シート端部を、容器上部の外壁となるブロックに被せて、固定することで、容器からの悪臭の漏れを防止し、
下部シートの上に親水性のひもを配置することで、容器の枠体の底に置くそれぞれの水ポットに給水し、
シート内に球状の発泡スチロールを繋ぎ合わせた平板があることで、直射日光による容器内の昇温を防止することを特徴とする請求項１に記載の悪臭除去装置。
【請求項４】
容器は、砂基礎の上に設置し、容器の内側を掘り、掘った穴の中に排水処理装置となる複数の円筒容器を設置し、
円筒容器の上には、すのこの機能を持たすために、リング外周を不織布で巻いたプラスチック製のリングを繋いだ平板を置き、投入する稚貝の重量を円筒容器で支え、滴下する海水を不織布に湿潤させることで、集水し、その下にある円筒容器に導水し、
円筒容器は、底にろ過砂を敷き、ろ過砂の上にネットに詰めた砂を置き、ろ過砂のある底側面に１〜３ｍｍの孔を円周に沿ってあけた容器であって、
導水した水に含まれる濁質は、ろ過砂の上で沈殿・堆積し、水はろ過砂上のネットに詰めた砂の側面から入って、底部のろ過砂に導水され、水平流によって、底部側面の孔から、砂基礎へ排水することを特徴とする請求項１に記載の悪臭除去装置。
【請求項５】
各段の枠体にある水ポットに給水した余剰な水は、溢流水とまって、砂基礎の中に埋めた竪型または横型の２重となる容器に排水し、
排水は、２重容器の内側容器に受入れ、外側容器には砂を詰め、内側容器にある導水ひもからの毛管水によって、外側容器の砂を湿潤させ、
更に外側容器にある導水ひもを容器外の砂基礎の内へ出すことで、
水を直接砂基礎に散水・排水させることに比べて、外側容器内の砂の湿潤度に応じて、砂基礎の砂中に拡散・移動をし、容器を配管とすることでも同じ機能があることを特徴とする請求項１に記載の悪臭除去装置。
【発明の詳細な説明】
【技術分野】
【０００１】  本発明は、養殖用の網篭に付着する稚貝等を高圧洗浄によって、網篭から分離し、海水で湿潤したまま、バケットに回収し、専用の容器に入れ、一定期間、保持することで、稚貝等から発する悪臭成分が分解され、保持している期間中、悪臭が容器から漏れて、外気に揮散することを防止する装置である。
【背景技術】
【０００２】  海の中で長期の間、ホタテ等の養殖のために浸漬されていた網篭を陸揚げし、網篭等に付着していた稚貝等を海水で高圧水等により、網篭等から分離し、分離した稚貝は、半日程度で貝の死肉から、強烈な悪臭が発生し、死肉がなくなるまで悪臭を出し、周辺の公害源となる。【０００３】  網篭等に付着するのは、小さな２枚貝のキヌマトイガイ、ムラサキイガイ等の稚貝や菅棲多毛類の稚貝に生息するゴカイ等で、これらを捕食する小魚やカニ等の他、動物プランクトン、小魚や稚貝の死肉を分解する海洋細菌類、海洋微生物、更に栄養塩を取り込む植物プランクトン、海藻類等、食物連鎖でつながる多様な生物や藻類から構成されている。【０００４】  これらの付着物は、陸揚げ後に強烈な悪臭を発することで、移動もできず、一時保管もできず、焼却処理のためには、塩分を含むことで、ダイオキシン類等の発生があり、大部分は無機質な貝殻であることで、減容が期待できないことから、焼却不適物となり、また堆肥化処理をするにも、施設からの悪臭により、立地が難しく、強烈な悪臭にもかかわらず大部分は無機質な貝殻であり、有機物量は少なく、水分が多く、塩分濃度も高いため、肥料としての利用価値もないため、安価な処理方法である堆肥化による処理もできず、埋め立て処分においても、輸送時の悪臭公害や悪臭防止のための大量の覆土、また塩分や易分解性の有機物の急増等からの浸出水の水質悪化から、過大な埋立コストになり、現状は海洋への不法投棄による処分をせざるを得ない状況である。
【先行技術文献】
【０００５】
【特許文献】
【特許文献】清掃貝の処理方法
【特許文献１】特開１９９７−０７７５８２号公報  火力発電所等の海水冷却系取水路等に付着するムラサキイガイやフジツボ等の稚貝を大量に回収し、清掃貝としてそのまま廃棄するとすぐに腐敗して悪臭を発するという問題から、清掃貝をコンポスト化装置で貝肉を好気性発酵させ、洗浄排水をほとんど発生させないで、その後、機械式選別機で貝殻と貝肉を分離する。
【発明の概要】
【発明が解決しようとする課題】
【０００６】  網篭等に付着するキヌマトイガイ、ムラサキイガイ等の大量の稚貝の大部分は、無機質な貝殻であって、また悪臭の発生源となるのは、稚貝の中にあるわずかな量の死肉で、死肉と貝殻を分離するためには、貝殻を粉砕し、大量の洗浄水と共に死肉を分離させる等の方法が考えられているが、菅棲多毛類等の稚貝に奥深くにある死肉は分離することは難しく、また大量の洗浄水の処理も問題となる。【０００７】  死肉は易分解性の有機物であって、好気性の堆肥化処理をすれば、分解し、悪臭も消滅するが、有機物である死肉は僅かで、大部分は貝殻であることから、堆肥場の大部分は無機質な貝殻が占めてしまうこと、網篭等からの海水も多く、また稚貝と共存する海藻類は含水量が高く、堆肥化による発熱が抑えられてしまい、そのため、堆肥場は高水分のままとなってしまい、このことが好気性発酵の阻害要因となり、悪臭を出さない堆肥化による処理は難しく、また海水に塩分があることから、肥料としての利用価値もなくなる。【０００８】  海から網篭を引き上げる際、付着物と共に海水も含まれ、付着物を容器に入れると、海水は下方に滴下し、容器底は嫌気状態となり、どぶ臭が発生してしまう。【０００９】  網篭等から分離したキヌマトイガイ、ムラサキイガイ等の稚貝は、大量であり、陸上に放置することで、半日程度で強烈な悪臭が発生すること、有機物である死肉は僅かで、大部分は無機質な貝殻であること、海水を含むため水分が多く、また海水によって湿潤しているため、高濃度な塩分が含まれること等から、安価な処理・処分をするためには、これらの課題の解決が必要である。
【課題を解決するための手段】
【００１０】  海に吊下げられていたホタテ貝の養殖網篭に付着する稚貝を海水で高圧洗浄をし、湿潤したまま、容器に投入し、蓋をし、一定の期間、保持させることで、海水に含まれる海洋性細菌や海洋性微生物によって、死肉が分解され、容器の壁を外気温より低く保って、悪臭を外気に漏らさないようにする。【００１１】  保温性のある発泡スチロールの複数の枠体を積み重ねて、容器の外壁とし、それぞれの枠体の底に、水を溜める水ポットを置き、水ポットからの毛管作用で湿潤させたポリエステルの布を束ねた親水性のひもを枠体内に、配置し、ひもの回りに球状の発泡スチロールを詰め、湿潤したひもがあることで、球状発泡スチロール間の空気が気化冷却され、枠体内の温度が外気温より冷却されることによって、容器内の悪臭が外部に揮散することを防止し、さらに外壁に球状の発泡スチロールを詰めていることで、容器内は好気性であり、稚貝の死肉の嫌気分解に続いて、好気性分解によって、無害化する。【００１２】  容器の蓋となる天端は、球状の発泡スチロールを繋ぎ合わせて平板と、ポリエステルの布を束ねた親水性のひもを置き、その上下を２重のビニールシートで挟み、上部のシートは雨水や外部からの給水を集水すると共に、水の蒸発を防止し、下部のシートで、水を貯留し、シート端部を、容器上部の外壁となるブロックに被せて、固定することで、容器からの悪臭の漏れを防止し、下部シートの上に親水性のひもを配置することで、容器の枠体の底に置くそれぞれの水ポットに給水し、シート内に球状の発泡スチロールを繋ぎ合わせた平板があることで、直射日光による容器内の昇温を防止する。【００１３】  容器は、砂基礎の上に設置し、容器の内側を掘り、掘った穴の中に排水処理装置となる複数の円筒容器を設置し、円筒容器の上には、すのこの機能を持たすために、リング外周を不織布で巻いたプラスチック製のリングを繋いだ平板を置き、投入する稚貝の重量を円筒容器で支え、滴下する海水を不織布に湿潤させることで、集水し、その下にある円筒容器に導水し、円筒容器は、底にろ過砂を敷き、ろ過砂の上にネットに詰めた砂を置き、ろ過砂のある底側面に１〜３ｍｍの孔を円周に沿ってあけた容器であって、導水した水に含まれる濁質は、ろ過砂の上で沈殿・堆積し、水はろ過砂上のネットに詰めた砂の側面から入って、底部のろ過砂に導水され、水平流によって、底部側面の孔から、砂基礎へ排水する。【００１４】  各段の枠体にある水ポットに給水した余剰な水は、溢流水とまって、砂基礎の中に埋めた竪型または横型の２重となる容器に排水し、排水は、２重容器の内側容器に受入れ、外側容器には砂を詰め、内側容器にある導水ひもからの毛管水によって、外側容器の砂を湿潤させ、更に外側容器にある導水ひもを容器外の砂基礎の内へ出すことで、水を直接砂基礎に散水・排水させることに比べて、外側容器内の砂の湿潤度に応じて、砂基礎の砂中に拡散・移動をし、容器を配管とすることでも同じ機能がある。【００１５】  容器から滴下する海水は、微細な有機物が含まれることから、外気に触れると、蛆虫やハエの発生原因となり、また砂基礎の底に滞水すれば、どぶ臭が発生してしまうことから、基礎内の砂は、適度な水分にして、活発に蒸発させ、砂基礎の底に滞水しないようにする。
【発明の効果】
【００１６】  網篭から洗浄された大量の付着物である稚貝の死肉は、易分解性の有機物であることから、死肉は嫌気分解により、すぐ悪臭が発生し、更に強烈な悪臭となり、付着物には海水や海藻類で湿潤していることから、これらの残渣を野積み等で屋外に放置すると悪臭が長く持続し、その一方、悪臭の原因である死肉は、嫌気分解後、速やかに好気性分解を受ければ、悪臭成分は速やかに分解する。【００１７】  海水中には、海洋微生物、海洋細菌類が多く存在し、稚貝の死肉等は容易に分解されてしまうことから、好気性雰囲気を保つことで、悪臭成分の分解が速まる。【００１８】  網篭からの大量の稚貝の大部分は、無機物である貝殻であって、有機物である貝肉は僅かなため、大規模な堆肥化装置を導入しても肥料としての価値もなく、貝肉は易分解性であることから、発酵速度が速く、堆肥化装置の発酵による高温を維持することも難しく、また大規模になるに従って、海水等を含むことから好気性雰囲気を保つことが難しいことから、本発明は、網篭から分離された大量の付着物に存在する海水中の海洋微生物、海洋細菌類に着目して、稚貝が死肉になり、悪臭成分が分解されるまで、専用の容器に保持し、１０日程度で、悪臭成分は分解される。【００１９】  専用容器内からの悪臭漏洩の防止には、専用容器の外壁を外気温より低い温度にすることで、容器内の悪臭が漏出しなくなることから、外壁内に水を通し、水が通ることで気化冷却され、外壁内を外気温より低く保ち、また外壁内に水の毛管作用を利用して湿潤したひもと、外気と直接触れにくくするための球状の発泡スチロールを詰めることで、悪臭の揮散が防止できる。【００２０】  気化冷却に利用する水は、雨水等が利用できるように、専用容器の天端を２重のビニールシートで覆い、下側のビニールシートを水タンクにし、上側のビニールシートは直射日光による容器内の昇温を防止し、シート間には直射日光を防止するために、球状の発泡スチロールを挟み、更に導水ひもを置くことによって、シートに滞水した水を容器外壁へ導水することができる。【００２１】  専用の容器に投入された付着物から滴下する海水は、発酵残渣や未分解有機物である濁質成分が含まれ、直接砂内に排水すれば、どぶ臭を呈してくるようになるが、付着物から滴下した海水を砂ろ過による処理をすれば、微細な濁質成分は砂中に移動することなく、砂中で、微細な濁質成分からのどぶ臭がなくなる。【００２２】  その他の処理として、牡蠣殻の悪臭、漂着海藻類の集荷場所での悪臭、淡水域での水生植物を刈り上げ、積み上げた場所における悪臭等、いずれも本発明と同じように、水を多く含むことによる嫌気分解から発生する悪臭であり、容器内の水を常時、排水し、悪臭を外気に漏れないよう、本発明の専用の容器に閉じ込めることで、同じ効果が得られる。【００２３】  本ホタテ養殖篭に付着する稚貝、発電所の温排水の取水口に発生する稚貝、ホタテ貝殻、牡蠣殻等は、大量の発生であるが、悪臭を発するため、再利用が余りされてなく、しかしこれらの主成分はセメント原料と同じ炭酸カルシウムであり、大量に発生する稚貝等をセメント原料として利用するのは資源の有効利用につながるが、セメント原料には塩素含有に厳しい基準が設��られているため、再利用するためには、残留塩濃度を１００ｍｇ／Ｌ以下までに処理が必要である。【００２４】  本発明の稚貝からの悪臭を処理するために、洗浄用水である海水と共に、専用の容器に入れ、取り出す時まで海水で湿潤された状態であり、貝殻表面に付着する塩分は、結晶化することなく海水に溶け込んでいるため、脱塩は、水分を蒸発させるのでなく、淡水に浸した水を数回の水切りによって、容易に脱塩する効果がある。【００２５】  ホタテ残渣は自然の条件によって、その発生量が一定でなく、また各漁業者が行うためには広い敷地が必要なこと等から、処理できる敷地の広さに応じることができるよう、外壁をブロックにして積み重ねることで、容器の容量を容易に変えることができる方法としている。
【図面の簡単な説明】
【００２６】
【図１】  悪臭処理装置の全体姿図と天蓋を外した姿図である。
【図２】  ブロックの展開模式図である。
【図３】  外枠になるブロック図である。
【図４】  ブロック内の導水ひもの模式図である。
【図５】  ブロック内気化冷却と排水処理の模式図である。
【図６】  排水処理装置の模式図である。
【図７】  散水容器の模式図である。
【図８】  専用容器の天端を示す模式図である。
【符号の説明】
【００２７】１・・・ブロック、２・・・基礎、３・・・散水容器、４・・・天蓋受け台、
５・・・天蓋、６・・・発泡スチロール枠体、７・・・球状発泡スチロール
８・・・ネット、９・・・水ポット、１０・・・導水ひも（循環用）、
１１・・・導水ひも（給水用）、１２・・・導水ひも（オーバーフロー用）、
１３・・・導水リング、１４・・・投入物支持材、１５・・・水処理容器、
１６・・・投入物、１７・・・沈澱残渣、１８・・・ろ過砂（底）、１９・・・ろ過砂（竪）、２０・・・小孔、２１・・・散水容器外筒、２２・・・散水容器内筒、
２３・・・内筒導水ひも、２４・・・外筒導水ひも、２５・・・天端上部シート、
２６・・・天端下部シート、２７・・・シート支持具
【発明を実施するための最良の形態】
【００２８】  図１に示すように１ブロックを繋いだ壁で囲まれた容器の中に稚貝の残渣を投入し、５天蓋によって、外部と遮断して、数日間、放置することによって、稚貝の死肉から発する悪臭を容器外へ漏らさないようにし、更に数日後、死肉を好気性雰囲気によって、分解させる悪臭処理装置である。【００２９】  悪臭処理装置は、図１に示す壁を形成する１ブロック、２基礎、３天蓋、及び該装置の底部内に収める１５水処理容器、１ブロック外に置く３散水容器で構成し、１ブロック内を循環する水で、壁を気化による冷却をすることで、悪臭の外部揮散を防止し、また投入から数日後からの稚貝の死肉が分解する好気性雰囲気を確保するために、１ブロックに７球状の発泡スチロールを詰めることで、装置内部を好気性に保つ。【００３０】  １ブロック内を循環する水は、５天端に覆うシートを水タンクにし、１１導水ひもによって、各ブロックに供給され、終端の１ブロックからの排水は、悪臭処理装置を置く２砂基礎内に排水し、２砂基礎内で過剰な排水によって、２砂基礎内が嫌気化し、どぶ臭を発しないよう、少量づつ、排水ができる３散水容器を２砂基礎内に設置する。【００３１】  悪臭処理装置の壁は、直接、２砂基礎の上に設置することで、容器内にハエや蛆虫の侵入を防止し、また周囲の壁を構成する１ブロックを複数段に積み重ね、１ブロックの数を増やすことで、容量も増減することができる。【００３２】  １ブロックは図２の展開図に示すように、９水ポット、１３導水リング、導水ひも（１０循環用、１１給水用、１２オーバーフロー）を真ん中において、その両側を７球状発泡スチロールで挟み、８ネットで固定して、図３に示す１ブロックとする。【００３３】  １ブロック壁の冷却は、図４に示すように、７球状発泡スチロールを詰めた１ブロック内に１０導水ひも（循環用）を配置し、導水ひもは９水ポットから毛管作用によって湿潤させ、それぞれの１０導水ひも（循環用）が接触しないよう、１３導水リングに固定する。【００３４】  １０導水ひも（循環用）を毛管作用によって湿潤させるためには、９水ポットからの高さを１０〜２０ｃｍにする必要があることから、１ブロックは１段が２０ｃｍ以内とし、図３に示すように２段積みで４０ｃｍの高さをもって、一つのブロックとし、これを積み重ね、横は、連結固定して繋ぎ、めざす容量となる悪臭処理装置の壁とし、９水ポットには１１給水用の導水ひも、１２オーバーフロー用の導水ひもを配置し、１２オーバーフロー用の導水ひもは下段のブロックの９水ポットへの給水とし、１１最上段の給水用の導水ひもは、天端から給水する１１導水ひもと連結される。【００３５】  悪臭処理装置は図５に示すように、１ブロック内の７球状発泡スチロール間に９水ポットから敷設した１０循環用の導水ひもによって、１ブロック内では気化冷却により、ブロック中央部で外気温より５〜１０℃低くなり、容器内が昇温しても、上記の低温部分で、温められて揮発する悪臭の揮散が防止でき、また外気温が高い時も、温度差が大きいことから、悪臭を外気に揮散させることはなく、特に夜間は外気温が下がり、水温も低下し、朝から気温が上昇する昼間まで、気温が上昇しても、空気と水の比熱差が大きいため、循環する��温が低く保たれることから、１ブロック内の温度は外気温より、５〜１０℃以上低く保つことができる。【００３６】  １ブロック内の１０循環用の導水ひもを外気と触れる場所までに敷設することで、容器内の湿度より低い外気へ１０循環用の導水ひもの水分を蒸発させることができ、蒸発・気化することで、１０導水ひもの水温が下がり、循環する水の温度を下げる効果がある。【００３７】  図５に示すように、悪臭処理装置を置く２砂基礎を掘って、１５水処理容器をその中に設置し、その上に１３導水リングを結合させて、平板にした１４投入物支持材を置いて、ネットに入れた残渣を投入し、積み重ね、残渣から滴下する海水は、１３導水リングに巻かれた不織布を湿潤させ、１５水処理容器に滴下することで、ネットに入れた残渣に海水が滞水することなく、滞水による嫌気発酵が防止できる。【００３８】  １５水処理容器を図５に示すように２砂基礎内に設置することで、残渣から発生する蛆虫等が外へ出てくる不快感を防止でき、また悪臭の漏れによって集まってくるハエの侵入が防止できる。【００３９】  １５水処理容器は図６に示すように、底部に１８ろ過砂を敷き、１８ろ過砂の中央の上には１９ネットに入れたろ過砂を竪に置き、滴下する海水中に含まれる濁質が１８ろ過砂上で沈澱堆積し、沈澱堆積物が圧密してくるにつれ、通水ができなくなるが、次に竪に置いた１９砂ろ過側面から通水され、１８底のろ過砂へ導水され、１５水処理容器の底、周囲に１〜３ｍｍ程度の２０小孔を開けることで、１８ろ過砂に導水された海水は、１８ろ過砂内を水平流で移動し、該２０小孔から排水され、排水される水はろ過水であって、濁質が取り除かれていることから、直接、２砂基礎に排出しても濁質等で臭気を発することはない。【００４０】  ２砂基礎内に直接排水する５天端から給水され１たブロック内の循環水は、図７に示すように、３散水容器を悪臭処理装置外の２砂基礎に埋め込んだ３散水容器に排水し、３散水容器は内側に水を受ける２２容器、その外側に砂を詰めた２１容器の２重の構造とし、それぞれの容器から２３、２４導水ひもによって、２２内側の容器から２１外側の容器へ導水し、２１外側の容器から２砂基礎内の砂中に導水し、２１外側の容器にある砂の湿潤度によって、導水量がかわる。【００４１】  ３散水容器を２重にすることで、内筒である２２容器内の水は、２１外筒の砂が十分湿潤することで、毛管作用による水の移動が少なくなり、また２１外筒の砂が乾いてくることによって、３散水容器から外の砂への水の移動が少なくなり、直接、２砂基礎に排水することに比べて、１／１０程度の散水速度とすることができ、散水速度が少なくなることで、２砂基礎内の湿潤度も緩やかに変化し、均一な湿潤となり、２砂基礎の底での滞水がなくなる。【００４２】  ２重の３散水容器は悪臭処理装置が大型になる場合、内筒を塩ビ配管で、その底から上端まで不織布を垂らし、上部は外筒の砂と触れさせ、外筒も塩ビ配管その底から上方まで不織布を垂らし、外の砂と触れさせる構造としても、２重の３散水容器と同じ効果が得られる。【００４３】  １ブロック内の循環用の水を供給するために、図８に示すように悪臭処理装置の５天端に雨水、井水を受入れるための���ートを張り、水のタンクとして利用し、中に１１導水ひもを置き、各ブロックの９水ポットへ導水し、２５、２６シートは２重にし、７球状発泡スチロールが装入された１３導水リングを繋ぎあわした平板を挟み、更にその上の２５シートによって、雨水等を集水する。【００４４】  ２５、２６シートで挟まれた１３導水リングの７球状発泡スチロールは、直接、太陽の直射熱による容器内の昇温を防止し、ネットに入れた投入物を積み上げることで、２５、２６シートに滞水する水の重みを支え、２５シートは容器内からの悪臭の漏洩を防止するため、２６シート引っ張り、２７シート支持具に固定することで、１ブロックと密着させる。
【実施例】
【００４５】  ホタテ残渣による悪臭処理実験による消臭の確認を行ったが、商業上の実施例はない。
【産業上の利用可能性】
【００４６】  牡蠣の貝殻、火力発電所等の海水冷却系取水路等に付着する稚貝等からの悪臭対策に対して、安価な処理とすることができるが、その他の用途として、漂着昆布や異常繁殖した水生植物は、水を多く含むため、積み上げ、放置すると悪臭が発生し、処置に困る状況であるが、本発明の専用容器に投入することにより、専用容器内から、常時、水が排水されることによって、嫌気発酵時の悪臭がなくなり、その後の好気性発酵の環境条件が整うことで、堆肥化処理で得られる堆肥化物と同様の製品が得られ、肥料・飼料等への再利用が可能となる。【００４７】  ホタテ残渣にみられる稚貝やホタテ貝殻の死肉の付着物を分解するために、海洋性細菌や海洋微生物を利用した悪臭処理装置は、悪臭成分が分解されるまで、湿潤状態で処理がされ、湿潤状態が維持され続けていることから、処理を終了した後、淡水による水洗で海水中に含まれる塩分は、貝殻に結晶化して固着することなく、容易に脱塩ができ、脱塩ができれば、貝殻の成分の大部分は炭酸カルシウムであること、大量に発生すること等からセメント原料とすることができる。
【図１】
2018157806.tif 000003
【図２】
2018157806.tif 000004
【図３】
2018157806.tif 000005
【図４】
2018157806.tif 000006
【図５】
2018157806.tif 000007
【図６】
2018157806.tif 000008
【図７】
2018157806.tif 000009
【図８】
2018157806.tif 000010